(57)【要約】【課題】表示装置でＳＴＢのチューナで受信した映像音声を視聴していた場合、ＳＴＢのチューナで選局しているチャンネルと同一のチャンネルを選局することができないため、Ｏｎｅ  Ｔｏｕｃｈ  Ｒｅｃｏｒｄ機能が正常に行われないという課題を解決し、記録再生装置に対してＳＴＢの入力を指定することにより、正しくＯｎｅ  Ｔｏｕｃｈ  Ｒｅｃｏｒｄ機能を提供するＳＴＢ録画システムを提供することを目的としている。【解決手段】ＳＴＢの接続されている表示装置の入力と記録再生装置の入力を視聴者に設定させるためのＧＵＩを設けることで、現在視聴している映像音声を正しく録画することができるＳＴＢ録画システムが得られる。【選択図】図１
2009213023.tif 000002
【特許請求の範囲】
【請求項１】
映像を表示する表示手段と、
映像信号が入力される複数の入力端子を有する映像入力手段と、
前記表示手段が、映像出力機器から出力され、前記映像入力手段の入力端子に入力された映像信号を表示している際に、表示している映像を録画するための指示があった場合に、該入力端子が、前記映像入力手段の入力端子と、該映像出力機器の映像信号が入力される記録再生装置の入力端子とを対応づけする対応表に存在するか否かを検出する検出手段と、
前記検出手段で存在することを検出した場合には、該表示装置の入力端子に対応する該記録再生装置の入力端子に入力されている映像信号の録画指令を送信する通信手段と
を備えることを特徴とする表示装置。
【請求項２】
映像出力機器，請求項１に記載の表示装置、及び記録再生装置からなる録画システム。
【請求項３】
該映像出力機器に接続されている該表示装置の端子、及び該映像出力機器に接続されている該記録再生装置の端子を設定する設定手段と、
該表示装置で視聴している映像信号が、前記設定手段で設定された該映像出力機器に接続されている該表示装置の端子から入力されていることを検出した場合に、表示している映像の録画をするための指示があった時は、該記録再生装置が、前記設定手段で設定された該記録再生装置の端子に入力されている映像信号を録画するように制御する制御手段と
を備えることを特徴とする、請求項２に記載の録画システム。
【請求項４】
該表示装置と該記録再生装置間はＨＤＭＩで接続されていることを特徴とする、請求項２または請求項３に記載の録画システム。
【請求項５】
映像出力機器，請求項１に記載の表示装置、及び記録再生装置からなる録画システムにおいて、
該映像出力機器に接続されている該表示装置の端子、及び該映像出力機器に接続されている該記録再生装置の端子を設定する設定ステップと、
該表示装置で視聴している映像信号が、前記設定ステップで設定されている該映像出力機器に接続されている該表示装置の端子から入力されていることを検出した場合に、表示している映像の録画をするための指示があった時は、該記録再生装置が、前記設定手段で設定された該記録再生装置の端子に入力されている映像信号を録画するように制御する制御ステップと
を有することを特徴とする録画制御方法。
【発明の詳細な説明】
【技術分野】
【０００１】
テレビジョン放送を受信する表示装置と、テレビジョン放送を受信するＳＴＢと、テレビジョン放送を受信し、外部入力端子を持ち、テレビジョン放送、または外部入力信号を記録する記録再生装置からなるシステムに関するものである。
【背景技術】
【０００２】
近年、映像・音声のデジタル化、高精細化が進んでいる。映像を出力する機器からディスプレイへピクセルデータをデジタル的に伝送する規格としてＤＶＩ（Ｄｉｇｉｔａｌ  Ｖｉｓｕａｌ  Ｉｎｔｅｒｆａｃｅ）規格があるが、これを音声のデジタルデータも電送するための規格としてＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格が策定されている。
【０００３】
ＨＤＭＩ規格は、映像音声信号のみならず接続された機器を制御するためのＣＥＣ（Ｃｏｎｓｕｍｅｒ  Ｅｌｅｃｔｒｉｃ  Ｃｏｎｔｒｏｌ）制御線も規定されている。ＨＤＭＩケーブルで接続された各機器は、ＣＥＣを用いて高度な機器制御を行うことが可能となっている。特に、ＨＤＭＩ１．３ａ規格で規定されているＯｎｅ  Ｔｏｕｃｈ  Ｒｅｃｏｒｄ機能を使用すれば、視聴者は現在表示装置上で視聴しているコンテンツを録画したいと思った際に、そのコンテンツが、表示装置に内蔵されているチューナで受信したコンテンツ、または記録再生装置に内蔵されているチューナで受信したコンテンツなどに関わらず、記録再生装置、あるいは表示装置のリモコンなどから「Ｏｎｅ  Ｔｏｕｃｈ  Ｒｅｃｏｒｄ」の指示を行うことにより、視聴者が、記録再生装置のチューナ選局、あるいは入力切換などを意識することなく、表示装置と記録再生装置がＣＥＣ経由で記録再生装置のチューナ選局、あるいは入力切換を行うことにより正しく録画することが可能となる。
【０００４】
つまり、視聴者が、表示装置に内蔵されているチューナで受信したコンテンツを視聴している場合は、表示装置から記録再生装置に対して、ＣＥＣのコマンドを使用して記録再生装置のチューナを制御し、表示装置のチューナで選局しているチャンネルと同じチャンネルを選局させ録画することができる。
【０００５】
また、視聴者が、記録再生装置に内蔵されたチューナで受信したコンテンツあるいは記録再生装置のアナログ映像音声入力端子からのコンテンツを、記録再生装置のＨＤＭＩ出力端子から出力し、表示装置のＨＤＭＩ入力端子で入力し視聴している場合、ＣＥＣのコマンドを使用して、記録再生装置に対してＣＥＣのコマンドを使用して、現在出力しているコンテンツをそのまま記録することができる。
【特許文献１】特開平１１−８８３７８号公報
【発明の開示】
【発明が解決しようとする課題】
【０００６】
しかしながら、上記従来の技術は、表示装置上で視聴しているコンテンツが、ＳＴＢなどの外部機器で受信した映像音声であった場合は、下記のような理由により、ＣＥＣのコマンドを使用しても正しく録画することができなかった。
【０００７】
一般的にＳＴＢは、表示装置や記録再生装置のチューナで受信出来ないテレビジョン信号を受信したい場合に使用される。つまり、表示装置や記録再生装置が地上波テレビジョン信号に対応したチューナしか持たず、視聴者が衛星テレビジョン信号を受信したい場合などに使用される。
【０００８】
この場合、表示装置でＳＴＢのチューナで受信した映像音声を視聴していたとすると、記録再生装置にＳＴＢのチューナで選局しているチャンネルと同一のチャンネルを選局することができず、結果として正しく録画することができない。
【０００９】
本発明は、上記課題に鑑み、表示装置の外部入力端子と記録再生装置の外部入力端子との対応付けを行うことで、ＣＥＣのコマンドを使用したＯｎｅ  Ｔｏｕｃｈ  Ｒｅｃｏｒｄ機能を正しく行うことができる表示装置を提供することを目的としている。
【課題を解決するための手段】
【００１０】
映像を表示する表示手段と、
映像信号が入力される複数の入力端子を有する映像入力手段と、表示手段が、映像出力機器から出力され、映像入力手段の入力端子に入力された映像信号を表示している際に、表示している映像を録画するための指示があった場合、入力端子が、映像入力手段の入力端子と、映像出力機器の映像信号が入力される記録再生装置の入力端子とを対応づけする対応表に存在するか否かを検出する検出手段と、検出手段で存在することを検出した場合には、表示装置の入力端子に対応する記録再生装置の入力端子に入力されている映像信号の録画指令を送信する通信手段とを備える。
【００１１】
次に、本発明の録画システムは、映像出力機器，上記本発明の表示装置、及び記録再生装置からなる。
【００１２】
また、本発明の録画システムは、映像出力機器に接続されている表示装置の端子、及び該像出力機器に接続されている記録再生装置の端子を設定する設定手段と、表示装置で視聴している映像信号が、設定手段で設定された映像出力機器に接続されている表示装置の端子から入力されていることを検出した場合に、表示している映像の録画をするための指示があった時は、記録再生装置が、設定手段で設定された記録再生装置の端子に入力されている映像信号を録画するように制御する制御手段とを備える。
【００１３】
さらに、本発明の録画制御方法は、映像出力機器，上記本発明の表示装置、及び記録再生装置からなる録画システムにおいて、映像出力機器に接続されている該表示装置の端子、及び映像出力機器に接続されている記録再生装置の端子を設定する設定ステップと、表示装置で視聴している映像信号が、設定ステップで設定されている映像出力機器に接続されている表示装置の端子から入力されていることを検出した場合に、表示している映像の録画をするための指示があった時は、記録再生装置が、設定手段で設定された記録再生装置の端子に入力されている映像信号を録画するように制御する制御ステップとを有する。
【発明の効果】
【００１４】
このような構成によって、視聴者が表示装置上で視聴しているコンテンツが、ＳＴＢなどの外部機器で受信し、表示装置の映像音声入力端子を経由して視聴しているコンテンツである場合であっても、ＣＥＣのＯｎｅ  Ｔｏｕｃｈ  Ｒｅｃｏｒｄ機能のパラメータを視聴者が表示装置上で視聴しているコンテンツを録画するために必要なパラメータを正しく設定することにより、録画することができる。
【発明を実施するための最良の形態】
【００１５】
以下、図面を用いて、本発明に係る表示装置の実施の形態を説明する。
【００１６】
（実施の形態）
図１は本発明に係る表示装置の実施の形態１の構成図である。表示装置１０は、映像音声の入力手段として、映像音声入力Ａ１０１と、映像音声入力Ｂ１０２と、ＨＤＭＩ入力Ａ１０３と、ＨＤＭＩ入力Ｂ１０４と、チューナ１０５とを備えている。本実施例では、映像音声入力を２系統、ＨＤＭＩ入力を２系統、チューナを１系統備えた表示装置としたが、これ以外の個数を備えていても構わない。
【００１７】
ＳＴＢ１１は、映像音声の出力手段として、映像音声出力Ａ１１１と、映像音声出力Ｂ１１２と、ＨＤＭＩ出力部１１３と、チューナ１１４とを備えている。本実施例では、映像音声出力を２系統、ＨＤＭＩ出力を１系統、チューナを１系統備えたＳＴＢとしたが、これ以外の個数を備えていても構わない。
【００１８】
記録再生装置１２は、映像音声の出力手段としてＨＤＭＩ出力１２１と、映像音声の入力手段として、映像音声入力Ａ１２２と、映像音声出力Ｂ１２３と、チューナ１２４を備えている。本実施例ではＨＤＭＩ出力を１系統、映像音声入力を２系統、チューナを１系統備えた記録再生装置としたが、これ以外の個数を備えていても構わない。
【００１９】
表示装置１０と、ＳＴＢ１１と、記録再生装置１２との接続の一例として、表示装置１０の映像音声入力Ａ１０１と、ＳＴＢ１１の映像音声出力Ａ１１１が映像音声ケーブル１３で接続されている。映像音声ケーブル１３の意図は、ＳＴＢ１１で受信したチューナの映像音声を表示装置に入力し、表示装置でそれを視聴することである。
【００２０】
また、記録再生装置１２の映像音声入力Ｂ１２３と、ＳＴＢ１１の映像音声出力Ｂ１１２が映像音声ケーブル１４で接続されている。映像音声ケーブル１４の意図は、ＳＴＢ１１で受信したチューナの映像音声を記録再生装置に入力し、記録再生装置でそれを記録することである。
【００２１】
表示装置１０のＨＤＭＩ入力Ｂ１０４と、記録再生装置１２のＨＤＭＩ出力１２１がＨＤＭＩケーブル１５で接続されている。ＨＤＭＩケーブル１５の意図は、記録再生装置１２から出力した映像音声を表示装置に入力し、表示装置でそれを視聴することである。
【００２２】
図２は、表示装置１０の内部構成を示す図である。入力制御部２０は、映像音声入力Ａ１０１、映像音声入力Ｂ１０２、ＨＤＭＩ入力Ａ１０３、ＨＤＭＩ入力Ｂ１０４、チューナ１０５の入力のうちいずれか一つを選択し、ディスプレイ２１に表示可能な信号形態に変換し、ディスプレイ２１に信号を送出するよう制御する。
【００２３】
ディスプレイ部２１は入力制御部２０より選択された入力映像を表示する。
【００２４】
グラフィック出力部２２はグラフィカルユーザインターフェイス（以下、ＧＵＩと略す）を提供する。
【００２５】
ディスプレイ部２１では、入力制御部２０より選択された入力映像の上に、グラフィック出力部２２で提供されたＧＵＩを重ねて表示することができ、これにより入力映像を見ながらユーザインターフェースを使用できる。
【００２６】
通信部２３は、ＣＰＵ２５より制御され、ＨＤＭＩ規格にて定められたＣＥＣコマンドの送受信を、ＨＤＭＩ入力端子を通じて行う。
【００２７】
リモコン受光部２４はリモコンより発せられたリモコンコマンドを受信する。
【００２８】
リモコン受光部２４より受信されたリモコンコマンドはＣＰＵ２５に伝達される。
【００２９】
ＣＰＵ２５はリモコン受光部２４より伝達されたリモコンコマンド、あるいは通信部２３より伝達されたコマンドを受信し、その指示に応じて入力制御部２０、グラフィック出力部２２、コマンド送受信部２３を制御する。
【００３０】
図３は、ＳＴＢ１１の内部構成を示す図である。
【００３１】
出力制御部３０は、チューナ１１４で受信したテレビジョン信号を映像音声出力部Ａ１１１、映像音声出力部Ｂ１１２、ＨＤＭＩ出力部１１３に出力可能な信号形態に変換し、それぞれの出力部へ信号を送出するよう制御する。
【００３２】
リモコン受光部３１はリモコンより発せられたリモコンコマンドを受信する。
【００３３】
リモコン受光部３１より受信されたリモコンコマンドはＣＰＵ３２に伝達される。
【００３４】
ＣＰＵ３３はリモコン受光部３１より伝達されたリモコンコマンドを受信し、その指示に応じて出力制御部３０を制御する。
【００３５】
図４は、記録再生装置１２の内部構成を示す図である。入出力制御部４０は、映像音声入力Ａ１２２、映像音声入力Ｂ１２３、チューナ１２４の各入力をいずれか一つを選択し、ＨＤＭＩ出力部１２１出力可能な信号形態に変換し、また、記録媒体４１へ記録可能な信号形態に変換するよう制御する。
【００３６】
通信部４２は、ＣＰＵ４４より制御され、ＨＤＭＩ規格にて定められたＣＥＣコマンドの送受信を行う。
【００３７】
リモコン受光部４３はリモコンより発せられたリモコンコマンドを受信する。
【００３８】
リモコン受光部４３より受信されたリモコンコマンドはＣＰＵ４４に伝達される。
【００３９】
ＣＰＵ４４はリモコン受光部４３より伝達されたリモコンコマンド、あるいはコマンド送受信部４２より伝達されたコマンドを受信し、その指示に応じて入出力制御部４０、コマンド送受信部４２を制御する。
【００４０】
ここで、表示装置１０でＳＴＢ１１の出力した映像音声信号を視聴している時に、視聴者が、今まさに視聴している映像音声の記録、すなわちＨＤＭＩ１．３ａ規格で定められたＯｎｅ  Ｔｏｕｃｈ  Ｒｅｃｏｒｄ機能を実現するための構成について図１、図２、図５、図６、図７、図８を用いて説明する。
【００４１】
図５は表示装置のグラフィック出力部２２より提供される、ＳＴＢの接続を視聴者に設定させるためのＧＵＩである。このＧＵＩ上で、視聴者は表示装置のリモコンの、例えばカーソル左、またはカーソル右などのボタンを押すことにより、あらかじめ選択可能な入力端子の中から任意の入力端子を選択することができる。ここで視聴者は、ＳＴＢの映像音声出力が表示装置のどの入力端子に接続され、かつ記録再生装置のどの入力端子に接続されているかを設定する。
【００４２】
表示装置の入力の設定欄には、ＳＴＢが接続されている表示装置の入力端子を設定する。図１の接続形態であった場合、ＳＴＢの出力は、表示装置の映像音声入力Ａ１０１に接続されているため、図５のユーザインターフェースにおいて、表示装置の入力の欄には映像音声入力Ａ１０１が設定されることを期待する。
【００４３】
記録再生装置の入力の設定欄には、ＳＴＢが接続されている記録再生装置の入力端子を設定する。図１の接続形態であった場合、ＳＴＢの出力は、記録再生装置の映像音声入力Ｂ１２３に接続されているため、視聴者からは記録再生装置の入力の設定欄に映像音声入力Ｂ１２３を設定されることを期待する。
【００４４】
図６は記録再生装置の入力の設定と、ＨＤＭＩ１．３ａ規格で規定されている記録再生装置のＥｘｔｅｒｎａｌ  Ｐｌｕｇの対応表である。ここでは記録再生装置の映像音声入力Ａ１２２をＥｘｔｅｒｎａｌ  Ｐｌｕｇ  １とし、記録再生装置の映像音声入力１２３をＥｘｔｅｒｎａｌ  Ｐｌｕｇ  ２と対応づけている。
【００４５】
図７は図５に示すＧＵＩで設定された表示装置の入力と、記録再生装置の入力、および図６で示す記録再生装置の入力と記録再生装置のＥｘｔｅｒｎａｌ  Ｐｌｕｇの対応表より得られる、表示装置の入力と記録再生装置の入力と、記録再生装置のＥｘｔｅｒｎａｌ  Ｐｌｕｇの対応表である。
【００４６】
図８は、Ｏｎｅ  Ｔｏｕｃｈ  Ｒｅｃｏｒｄ機能を実現するための表示装置における処理のフローチャートであり、ＳＴＢに接続されている表示装置の端子、および記録再生装置の端子を設定する設定ステップと、視聴している映像信号がＳＴＢのコンテンツかを判断する判断ステップと、設定ステップで設定された記録再生装置の端子に入力されている映像信号を録画するようにＣＥＣのＯｎｅ  Ｔｏｕｃｈ  Ｒｅｃｏｒｄのコマンドを作成し、送信する制御ステップを表している。
【００４７】
図５において、視聴者が表示装置の入力の設定欄に表示装置の映像音声入力Ａ１０１を、記録再生装置の入力の設定欄に記録再生装置の映像音声入力Ｂ１２３を設定した場合、視聴者により設定された、図５のＧＵＩの結果と、図６の記録再生装置の入力と記録再生装置のＥｘｔｅｒｎａｌ  Ｐｌｕｇの対応表に基づき、図７のように表示装置の映像音声入力Ａ１０１は、記録再生装置のＥｘｔｅｒｎａｌ  Ｐｌｕｇ  ２に対応づけられることになる。
【００４８】
この対応付けが行われた状態で、視聴者が現在表示装置上で視聴している映像音声を記録再生装置で記録するときの構成について図２、図７を用いて説明する。視聴者が現在表示装置上で視聴している映像音声を記録再生装置で記録したいと思った場合に、視聴者は、表示装置のリモコンより、Ｏｎｅ  Ｔｏｕｃｈ  Ｒｅｃｏｒｄコマンドを発行するためのボタンを押下する。すると、表示装置のリモコン受光部から、Ｏｎｅ  Ｔｏｕｃｈ  Ｒｅｃｏｒｄコマンドが表示装置のＣＰＵに伝達される。表示装置のＣＰＵは現在視聴されている入力、つまり、入力制御部で選択されている入力が何かを判断する。このとき、表示装置のチューナで受信した映像音声を視聴していた場合は、表示装置のＣＰＵはチューナで受信に必要な情報、すなわちアナログテレビジョン放送であれば、受信周波数や放送システムの情報を、デジタルテレビジョン放送であれば、デジタル放送システムの情報を、表示装置の通信部から表示装置のＨＤＭＩ入力端子、さらにＨＤＭＩケーブルを通じ、記録再生装置のＨＤＭＩ出力端子を通じて、記録再生装置の通信部へと送信する。これにより、表示装置で視聴している映像音声と同一のテレビジョン放送を記録再生装置のチューナで選局させた後、録画コマンドを送信することで視聴者が現在視聴していた映像音声を記録再生装置で記録できる。
【００４９】
しかし、視聴者が表示装置の映像音声入力に入力されているＳＴＢの映像音声を視聴していた場合、ＳＴＢのチューナの選局情報が得られない、あるいは、たとえ、何らかの手段で選局情報が得られたとしても、ＳＴＢのチューナが、記録再生装置のチューナと種類が異なり、ＳＴＢのチューナで受信している映像音声を記録再生装置のチューナで選局出来なかった場合は、視聴者は現在視聴している映像音声を記録することができない。
【００５０】
ここで、視聴者がＳＴＢからの映像音声を、表示装置の映像音声入力端子を選択することで視聴していた場合、視聴者が現在視聴している映像音声を記録するためには記録再生装置の入力をＳＴＢからの出力として録画すればよい。このことを、図８のフローチャートを用いて具体的に説明する。視聴者は図５のユーザインターフェースでＳＴＢの接続設定を行う。
【００５１】
ここで設定されたテレビの入力は、フローチャート上の設定ステップにおいて設定値１として設定され、レコーダの入力は設定値２として設定される。図１の接続形態を例にとると、設定値１は表示装置の映像音声入力Ａとなり、設定値２は記録再生装置の映像音声入力Ｂとなる。
【００５２】
次に判断ステップにて視聴している映像信号がＳＴＢのコンテンツかどうかを判断する。ＳＴＢかどうかの判断は表示装置で選択している端子が設定値１の端子かどうかで行う。
【００５３】
ＳＴＢのコンテンツと判断できたら制御ステップにて、記録再生装置の端子に入力されているＳＴＢの入力端子を決定するため、図６により設定値２に対応したＥｘｔｅｒｎａｌ  Ｐｌｕｇの値を取得する。図１の接続形態を例にとると、図６により、設定値２に対応したＥｘｔｅｒｎａｌ  Ｐｌｕｇの値、つまりフローチャートでの設定値３は「２」となる。また、記録再生装置の端子を設定するために、［Ｒｅｃｏｒｄ  Ｓｏｕｒｃｅ  Ｔｙｐｅ］を“Ｅｘｔｅｒｎａｌ  Ｐｌｕｇ”とし、コマンドを生成する。図１の接続形態を例にとると、Ｏｎｅ  Ｔｏｕｃｈ  Ｒｅｃｏｒｄ機能を実現するためのコマンドは、
＜Ｒｅｃｏｒｄ  Ｏｎ＞  ［“Ｅｘｔｅｒｎａｌ  Ｐｌｕｇ”］［２］
となる。このコマンドを記録再生装置に送信すると、記録再生装置はＥｘｔｅｒｎａｌ  Ｐｌｕｇ  ２に相当する映像音声入力Ｂの録画を開始する。映像音声入力ＢにはＳＴＢが接続されており、視聴者は意図通りＳＴＢの映像音声を記録することが可能となる。
【産業上の利用可能性】
【００５４】
本発明にかかるＳＴＢ，表示装置、及び記録再生装置からなる映像システムは、記録再生装置が持っているチューナ以外の映像信号をも記録することができるので、ＨＤＭＩで接続された機器を制御し、録画を実現する装置に適用できる。
【図面の簡単な説明】
【００５５】
【図１】本発明の実施の形態の表示装置、ＳＴＢ、記録再生装置の接続図
【図２】本発明の実施の形態の表示装置の内部構成図
【図３】本発明の実施の形態のＳＴＢの内部構成図
【図４】本発明の実施の形態の記録再生装置の内部構成図
【図５】本発明の実施の形態の表示装置のＳＴＢ接続設定のユーザインターフェースを表した図
【図６】本発明の実施の形態の表示装置のＳＴＢ接続設定で設定された記録再生装置の入力と、ＨＤＭＩ１．３ａで規定されているＯｎｅ  Ｔｏｕｃｈ  Ｒｅｃｏｒｄ機能のＥｘｔｅｒｎａｌ  Ｐｌｕｇとの対応表を表した図
【図７】本発明の実施の形態の表示装置の入力に対するＯｎｅ  Ｔｏｕｃｈ  Ｒｅｃｏｒｄ機能のＥｘｔｅｒｎａｌ  Ｐｌｕｇの対応表を表した図
【図８】Ｏｎｅ  Ｔｏｕｃｈ  Ｒｅｃｏｒｄ機能を実現するための表示装置における処理のフローチャート
【符号の説明】
【００５６】
１０    表示装置
１０１    映像音声入力Ａ
１０２    映像音声入力Ｂ
１０３    ＨＤＭＩ入力Ａ
１０４    ＨＤＭＩ入力Ｂ
１０５    チューナ
１１    ＳＴＢ
１１１    映像音声出力Ａ
１１２    映像音声出力Ｂ
１１３    ＨＤＭＩ出力
１１４    チューナ
１２    記録再生装置
１２１    ＨＤＭＩ出力
１２２    映像音声入力Ａ
１２３    映像音声入力Ｂ
１２４    チューナ
１３、１４    映像音声ケーブル
１５    ＨＤＭＩケーブル
２０    入力制御部          
２１    ディスプレイ部
２２    グラフィック出力部
２３    通信部
２４    リモコン受光部
２５    ＣＰＵ
３０    出力制御部
３１    リモコン受光部
３２    ＣＰＵ
４０    入出力制御部
４１    記録媒体
４２    通信部
４３    リモコン受光部
４４    ＣＰＵ
【図１】
2009213023.tif 000003
【図２】
2009213023.tif 000004
【図３】
2009213023.tif 000005
【図４】
2009213023.tif 000006
【図５】
2009213023.tif 000007
【図６】
2009213023.tif 000008
【図７】
2009213023.tif 000009
【図８】
2009213023.tif 000010